(57)【要約】【課題】モジュール回路を有する小型で信頼性の高いインバータ装置を提供することを目的とする。【解決手段】主回路１２と外部回路１４から構成されるモジュール回路１０を有するインバータ装置において、主回路１２への外部回路１４の取り付けを、モジュールケース１６に配置した、先端の係止部１８４が複数に分割されたピン１８を介して行うようにしたものである。【選択図】  図１
2004186476.tif 000002
【特許請求の範囲】
【請求項１】
複数のトランジスタおよび周辺回路を複合的に集積し、外部回路との接続を行う入力信号と出力パワー端子とを具備した主回路と、前記主回路を収納したモジュールケースと、その上部にプリント基板に設けられた孔にピンを介して取り付けられる外部回路から構成されるモジュール回路を有するインバータ装置において、前記モジュールケースに設けるピンが基台部、挿通部および係止部から形成されるとともに、少なくとも前記係止部が複数に分割されていることを特徴とするインバータ装置。
【請求項２】
モジュールケースは、ピンを構成する基台部の高さと同一の台座部と、前記台座部から上方に向かい、かつ外部回路の面方向位置の規制を行う側壁部から形成される台座を有していることを特徴とする請求項１に記載のインバータ装置。
【発明の詳細な説明】
【０００１】
【発明の属する技術分野】
本発明は、モジュール回路を有するインバータ装置に関するものである。
【０００２】
【従来の技術】
インバータ装置等に用いられるインバータ装置に対する小型化の要求は高く、これの構成要素であるモジュール回路と外部回路との取り付けに関しては、各種の構造が提案されている。
【０００３】
例えば、図５に示すように、複数の電子部品および周辺回路を複合的に１パッケージ内に集積し、外部回路との接続をおこなう入力信号および出力パワー用の端子５２とを具備したトランジスタモジュール５６においては、外部回路を構成するプリント基板５４を保持するため、フック形状の爪５０を具備した構成を有している（例えば、特許文献１参照）。
【０００４】
【特許文献１】
特開平９−１２９７６６号公報
【０００５】
【発明が解決しようとする課題】
しかしながら、上記従来の構成では、プリント基板に設けた孔にフック形状の爪を通過させる必要があるため、少なくとも前記孔は前記爪より同等以上出なければならない。つまり、フック形状の爪によっては、プリント基板の軸方向位置規制は可能であるが、フック形状の爪を有するピンを数多く設けなければ、面方向の位置規制は入力信号および出力パワー用の端子によって行われることとなる。
【０００６】
ピンを多く設けることは、モジュール回路の小型化を阻害し、また、入力信号および出力パワー用の端子で面方向の位置規制を行うことは、端子に力が作用することとなり、端子に施される、はんだ部の信頼性の低下につながる。
【０００７】
本発明はこのような従来の課題を解決するものであり、モジュール回路を有する小型で信頼性の高いインバータ装置を提供することを目的とする。
【０００８】
【課題を解決するための手段】
上記課題を解決するために本発明は、主回路と外部回路から構成されるモジュール回路を有するインバータ装置において、主回路への外部回路の取り付けを、モジュールケースに配置した、先端の係止部が複数に分割されたピンを介して行うようにしたものである。また、外部回路を構成するプリント基板の面方向位置規制をより確実に行うために、台座部と側壁部からなる台座をモジュールケースに前記ピンとともに併設したものである。
【０００９】
これにより、小型で、端子のはんだ部に力が作用しない信頼性の高いインバータ装置とすることができる。
【００１０】
【発明の実施の形態】
本発明の請求項１に記載の発明は、複数のトランジスタおよび周辺回路を複合的に集積し、外部回路との接続を行う入力信号と出力パワー端子とを具備した主回路と、前記主回路を収納したモジュールケースと、その上部にプリント基板に設けられた孔にピンを介して取り付けられる外部回路から構成されるモジュール回路を有するインバータ装置において、前記モジュールケースに設けるピンが基台部、挿通部および係止部から形成されるとともに、少なくとも前記係止部が複数に分割されていることを特徴とするインバータ装置であり、係止部が分割されているため、その各々が内側にむかって移動（弾性変形）することが可能となることから、ピンの挿通部とプリント基板に設ける孔を略同一形状とすることができる。
【００１１】
また、外部回路を取り付けた後は、内側に移動していた係止部は元に復元するため、確実に外部回路を固定することができる。
【００１２】
請求項２に記載の発明によれば、モジュールケースは、ピンを構成する基台部の高さと同一の台座部と、前記台座部から上方に向かい、かつ外部回路の面方向位置の規制を行う側壁部から形成される台座を有していることを特徴とする請求項１に記載のインバータ装置であり、外部回路の面方向位置規制をさらに高めることが可能となり、はんだ部に作用する力を低減することができる。
【００１３】
【実施例】
以下、本発明の実施例について図面を用いて説明する。なお、本発明は以下に示す具体例に限定されるものではない。
【００１４】
（実施例１）
図１に示すように、モジュール回路１０はモジュールケース１６に収納された主回路１２の上方に外部回路１４が取り付けられ構成されている。
【００１５】
図２に示すように、外部回路１４の保持は、外部回路１４を構成するプリント基板１４０に設けられた孔１４２に基台部１８０、挿通部１８２および係止部１８４から形成されているピン１８を介してなされており、所定の高さを有する基台部１８０上にプリント基板１４０が載せられ、モジュールケース１６（または、主回路１２）から一定の距離が確保されている。
【００１６】
プリント基板１４０に設けられた孔１４２の径は、挿通部１８２への挿入を考慮した上で、挿通部１８２の径と略同程度に設定されている。
【００１７】
図３に示すように、係止部１８４は二分割された構成を有しており、孔１４２への挿入に際しては係止部１８４の各々が径方向に弾性変形することで、挿通部１８２と同等の直径に設定されている孔１４２への通過を可能としている。また、挿入後は係止部１８４の各々が元の位置に復元し、係止部１８４がプリント基板１４０に引っかかり、容易に離れることなく、また、外部回路の浮き上がりを防止することができる。これにより、外部回路１４を位置制度良く、確実に保持することができる。
【００１８】
なお、ピン１８のモジュールケース１６への固定は、モジュールケース１６の外縁部１６０から内側に設けた固定部１６２に、プリント基板１４０の保持と同様に行われている。
【００１９】
また、上記説明において係止部１８４は二分割であるが、本発明はこれに拘泥するものではなく、例えば、これ以上の分割数としても良い。
【００２０】
（実施例２）
上記実施例１に加え、本発明のインバータ装置を構成するモジュール回路１０において外部回路１４の面方向の位置決精度より向上させるために、図１、図２および図４に示すようにモジュールケース１６の外縁部１６０に台座２０を複数個設けている。
【００２１】
台座２０はピン１８の基台部の高さ（外縁部１６０の端面からの高さ）が同一の台座部２００と、台座部２００から上方に向かう側壁部２０２から形成されている。
【００２２】
外部回路１４のピン１８への取り付けに際しては、プリント基板１４０の側面を側壁部２０２に沿わせることで、プリント基板１４０の孔１４２とピン１８の位置を決定することが可能である。これにより、主回路１２と外部回路１４の接続を行う端子１２０に不要な力を作用させることなく入力信号端子１２０をプリント基板１４０に装着することが可能で、また、端子をはんだ付けした後においても、はんだ部に不要な力が作用することを低減することができる。
【００２３】
さらに、プリント基板１４０がスルーホール構成の場合であっても、プリント基板１４０の取り付け高さを一定にすることが可能であるため、はんだ部を十分に形成することができる。
【００２４】
なお、台座２０はモジュールケース１６の形状を考慮し、その設置場所を選定すればよく、プリント基板１４０の側面を側壁部２０２に当接させたとき、プリント基板１４０の孔１４２とピン１８の位置が合えば良い。
【００２５】
また、台座２０の数は、ピン１８の数を考慮し、外部回路１４が傾くことのないようなものとすれば良い。
【００２６】
【発明の効果】
以上の説明から明らかな通り、本願請求項１に記載の発明によれば、外部回路の保持に際して、プリント基板に設けた孔にピンの挿入した後においても、両者の位置決精度を向上させることができ、また、請求項２に記載の発明によれば、外部回路を主回路上に一定の高さで保持できるため、小型で、入力信号端子のはんだ部に力が作用しないモジュール回路とすることが可能で、信頼性の高いインバータ装置とすることができる。
【００２７】
さらに、モジュール回路の組立性も向上させることができる。
【図面の簡単な説明】
【図１】本発明のモジュール回路を示す図
【図２】本発明のモジュール回路の側面図
【図３】本発明の外部回路を保持するピンを示す図
【図４】本発明の外部回路を保持する台座を示す図
【図５】従来のモジュール回路の側面図
【符号の説明】
１０  モジュール回路
１２  主回路
１２０  入力信号端子
１４  外部回路
１４０  プリント基板
１４２  孔
１６  モジュールケース
１６０  外縁部
１６２  固定部
１８  ピン
１８０  基台部
１８２  挿通部
１８４  係止部
２０  台座
２００  台座部
２０２  側壁部
【図１】
2004186476.tif 000003
【図２】
2004186476.tif 000004
【図３】
2004186476.tif 000005
【図４】
2004186476.tif 000006
【図５】
2004186476.tif 000007